(57)【要約】【課題】  従来のランプソケットは、ランプをランプソケットに装着するとき、ランプが傾いて挿入された場合等、一対のランプ口金端子のうち、一方のランプ口金端子と接触金具との接続は確保されても、他方のランプ口金端子と接触金具との接続は不充分となるというランプ口金端子と接触金具との接続信頼性には問題がある【解決手段】  本発明に係るランプソケットは、一対のランプ保持部材７ｂ間の間隔を円筒状のランプ口金１１ａの外径より小さくし、ランプ口金１１ａを受け体の挿入穴に挿入することにより、一対のランプ保持部材７ｂが弾性変化し、円筒状のランプ口金１１ａの内壁の一対の口金端子１１ｃを挿入穴の中心側に設置された一対の接触金具７ａに接触させるとともに、ランプ口金１１ａを保持する。【選択図】図４
2005293872.tif 000002
【特許請求の範囲】
【請求項１】
前面に開口部を備えたソケット筐体と、ランプ端部から突起する円筒状のランプ口金が挿入される挿入穴を前部に備え、前記ソケット筐体の前記開口部に移動可能に収容された受け体と、前記受け体の挿入穴の中心側に設置された一対の接触金具と、前記受け体の挿入穴内で、内壁に設置された弾性変形可能な一対のランプ保持部材と、前記接触金具と外部電線とを電気的に接続する導電部材と、照明器具に取付ける取付け部とを有し、
前記一対のランプ保持部材間の間隔を前記円筒状のランプ口金の外径より小さくし、前記ランプ口金を前記受け体の前記挿入穴に挿入することにより、前記円筒状のランプ口金の内壁の一対の口金端子を前記挿入穴の中心側に設置された一対の接触金具に接触させるとともに、前記一対のランプ保持部材が弾性変形し、前記ランプ口金を保持することを特徴とするランプソケット。
【請求項２】
前記ランプ保持部材を前記接触金具と同じ金属材料とし、前記ランプ保持部材と前記接触金具とを対向させ、一体形成したことを特徴とする請求項１に記載のランプソケット。
【請求項３】
一端部に接触金具とランプ保持部材との対向部を形成し、他端部に鎖錠片を有する速結端子部を形成し、前記両端部を弾性変形可能な接続部で接続する一体に形成した一対の導電金具を形成し、前記一端部の前記接触金具とランプ保持部材とを前記受け体の前記挿入穴に設置し、前記接続部を前記筐体内に収納し、前記他端部を前記筐体の下部に収納したことを特徴とする請求項１又は請求項２に記載のランプソケット。
【請求項４】
前面に開口部を備えたソケット筐体と、ランプ端部から突起する円筒状のランプ口金が挿入される挿入穴を前部に備え、前記ソケット筐体の前記開口部に移動可能に収容された受け体と、一端部に弾性変形可能な接触金具を形成し、他端部に鎖錠片を有する速結端子部を形成し、前記接触金具と連結端子部とを弾性変形可能な接続部で接続する一体に形成した一対の導電金具と、照明器具に取付ける取付け部とを有し、
また、前記接触金具を前記受け体の前記挿入穴の中心側に設置し、前記接続部を前記筐体内に収納し、前記他端部を前記筐体の下部に収納し、
また、前記一対の接触金具の最外側部間の距離を前記円筒状のランプ口金の内壁の一対の口金端子間の間隔より大きくし、前記ランプ口金を前記受け体の前記挿入穴に挿入することにより、前記一対の接触金具が弾性変形し、前記円筒状のランプ口金の内壁の一対の口金端子と接触するとともに、前記ランプ口金を保持することを特徴とするランプソケット。
【請求項５】
前記照明器具に取付ける取付け部により、請求項１〜請求項４のいずれかの請求項に記載のランプソケットを取付けたことを特徴とする照明器具。
【発明の詳細な説明】
【技術分野】
【０００１】
本発明は、ランプソケット及びこのランプソケット使用の照明器具に関するものである。
【背景技術】
【０００２】
従来のランプソケットは、ソケット筐体と、該ソケット筐体に移動可能に収納される摺動体と、該摺動体に収納されランプ端子と当接する接触金具と、ソケット筐体に収納され、一端に接触金具が接続される接続部を備え、他端がソケット筐体に係止される導電金具とを有し、接続部に接触金具が挿入される係合孔を設けるとともに、係合孔の周端であって、ランプ装着時に、ランプ端子の挿入方向と略垂直方向であり接触金具が回動して動く方向に弾性を有する一対の切り起し片を対向させて一体で形成し、切り起し片により接触金具を挟持させた（例えば、特許文献１参照）。
【特許文献１】特開平８−２６３２３１号公報（第４頁、第５頁、図１〜図４）
【発明の開示】
【発明が解決しようとする課題】
【０００３】
特許文献１のランプソケットは、接触金具と導電金具との接続信頼性は向上したが、ランプをランプソケットに装着するとき、ランプの軸方向が傾いて装着された場合等、一対のランプ口金端子のうち、一方のランプ口金端子と接触金具との接続は確保されても、他方のランプ口金端子と接触金具との接続は不充分となるというランプ口金端子と接触金具との接続信頼性には問題がある。
【０００４】
本発明は、上記のような課題を解決するためになされたもので、たとえランプがランプソケットに傾いて挿入されても、ランプ口金端子と接触金具との接続が充分となり、接続信頼性が向上するランプソケットを得ることを目的とする。
また、組立性を向上できるランプソケットを得ることを目的とする。
【課題を解決するための手段】
【０００５】
本発明に係るランプソケットは、前面に開口部を備えたソケット筐体と、ランプ端部から突起する円筒状のランプ口金が挿入される挿入穴を前部に備え、ソケット筐体の開口部に移動可能に収容された受け体と、受け体の挿入穴の中心側に設置された一対の接触金具と、受け体の挿入穴内で、内壁に設置された弾性変形可能な一対のランプ保持部材と、接触金具と外部電線とを電気的に接続する導電部材と、照明器具に取付ける取付け部とを有し、一対のランプ保持部材間の間隔を円筒状のランプ口金の外径より小さくし、ランプ口金を受け体の挿入穴に挿入することにより、円筒状のランプ口金の内壁の一対の口金端子を挿入穴の中心側に設置された一対の接触金具に接触させるとともに、一対のランプ保持部材が弾性変形し、ランプ口金を保持するものである。
【発明の効果】
【０００６】
本発明に係るランプソケットは、一対のランプ保持部材間の間隔を円筒状のランプ口金の外径より小さくし、ランプ口金を受け体の挿入穴に挿入することにより、円筒状のランプ口金の内壁の一対の口金端子を挿入穴の中心側に設置された一対の接触金具に接触させるとともに、一対のランプ保持部材が弾性変形し、ランプ口金を保持するので、ランプが傾いて挿入されても、一対の口金端子は確実にそれぞれの接触金具に接触し、電気的接続信頼性を向上できる。
【発明を実施するための最良の形態】
【０００７】
実施の形態１．
図１は、本発明の実施の形態１におけるランプソケットを示す分解斜視図であり、図２は、図１のランプソケットの正面図であり、図３は、図１のランプソケットの導電金具を示す斜視図であり、図４は、図１のランプソケットにランプ装着時のランプ口金端子と接触金具との接続及びランプ保持部材によるランプ口金の保持を説明する断面図であり、図５は、図１のランプソケットのランプ装着前後の導電金具及びコイルバネの状態を説明する断面図である。
これらの図において、本ランプソケットは、ソケット本体１、ソケット本体１に背面側から挿入され、ソケット本体１の前部の開口部１ａから前部が出るように、前後方向（ランプ挿入方向）に移動可能に取り付けられる受け体３、一対の導電金具７及び受け体３とソケットカバー５間に設置され、受け体３を前方に付勢する一対のコイルバネ１２等で構成される。
【０００８】
ソケット本体１は、合成樹脂製であり、前面側に開口部１ａを備え、背面側からソケットカバー５で覆い、内部に収容部を形成するソケット筐体となる。
受け体３は、合成樹脂製であり、ソケット本体１の開口部１ａに挿入され、前後方向に摺動自在とされるもので、前面に開口する挿入穴３ａを有し、この挿入穴３ａにランプ口金１１ａが挿入される。また、挿入穴３ａの中央には、前面から見て断面が矩形状の部材が後部より突出するように設けられ、仕切部３ｄを形成する。前面から見て、仕切部３ｄの左右の側壁には、導電金具７の接触金具７ａを収容する凹部よりなる接触金具収納部３ｃが形成されている。また、挿入穴３ａの内壁で、仕切部３ｄの左右の接触金具収納部３ｃに対向する側壁に導電金具７のランプ保持部材であるランプ保持金具７ｂを収容する凹部よりなるランプ保持金具収納部３ｂが形成されている。即ち、一対の接触金具７ａとそれぞれに対向するランプ保持金具７ｂとが、それぞれの収納部に収納される。
【０００９】
導電金具７は、板状の導電部材からなり、図３に示すように一体ものとして、打抜き及び曲げにより加工したものである。導電金具７は、上部にくの字状の接触金具７ａとくの字状のランプ保持金具７ｂとをくの字状の屈曲凸部を対向させた全体的に略Ｕ字状体の対向部を形成し、また、下部に外部電線を接続する鎖錠片９ｅを有する速結端子部７ｅを形成し、これらを接続部であるＬ字接続部７ｃで連結する。図１に示すように、導電金具７は一対を組として使用する。
導電金具７は、上部の接触金具７ａを受け体３の背面側から挿入し、仕切部３ｄの接触金具収納部３ｃに収納する。同時にランプ保持金具７ｂもランプ保持金具収納部３ｂに収納する。また、導電金具７の下部の速結端子部７ｄは、ソケット筐体下部の所定収納部に収納する。そして、これらの間のソケット筐体内に、接続部であるＬ字接続部７ｃを収納する。
【００１０】
一対のコイルバネ１２は、ソケットカバー５の背面側の内壁と受け体３の間に設置され、受け体３を前面側に付勢する。
このように、ソケット本体に受け体３、一対の導電金具７及び一対のコイルバネを収納させソケットカバー５で背面側から覆い、ランプソケットを組立てる。
【００１１】
このように組立てたランピソケットへの蛍光ランプの装着を説明する。
図４（ａ）は、ランプ装着前の状態であり、図４（ｂ）は、ランプ装着時の状態を示す。
ランプ１１のランプ口金１１は、ランプ端部から突起する円筒状のもので、外側の口金側壁部１１ｂに対して内側に対向する一対の口金端子１１ｃを有する。ランプ口金１１ａを受け体３の挿入穴３ａに一対の口金端子１１ｃが仕切部３ｄで両側に分かれる様に挿入する。このとき、接触金具７ａは、くの字状の屈曲凸部が外側になるように接触金具収納部３ｃに収納固定され、また、ランプ保持金具７ｂは、くの字状の屈曲凸部が内側になるようにランプ保持金具収納部３ｂに収納固定され、仕切部３ｄに対してそれぞれの側で、接触金具７ａとランプ保持金具７ｂとの屈曲凸部同士が対向する。
また、一対のランプ保持部材であるランプ保持金具７ｂの屈曲凸部間の間隔を円筒状のランプ口金１１ａの外径より小さくする。
そこで、ランプ口金１１ａを受け体３の挿入穴３ａに挿入することにより、一対のランプ保持部材７ｂが弾性変形し、ランプ口金１１ａを保持することができ、円筒状のランプ口金１１ａの内壁の一対の口金端子１１ｃを挿入穴３ａの中心側に設置された一対の接触金具７ａに接触させる。即ち、たとえ、蛍光ランプが傾いて挿入されても一対の口金端子１１ｃは両方共確実に接触金具７ａに接触する。
さらに、仕切部３ｄのそれぞれの側で、接触金具７ａとランプ保持部材７ｂの屈曲凸部間の距離（隙間）をランプ口金１１ａの内側の口金端子１１ｃの内壁と外側の口金側壁部１１ｂの外壁間の距離（ランプ口金厚み）より小さくする。即ち、接触金具７ａとランプ保持金具７ｂとの挿入穴３ａ内での間隔をランプ口金１１ａの内側の口金端子１１ｃと外側の口金側壁部１１ｂとの距離より小さくする。そこで、ランプ口金１１ａを挿入するとき、接触金具７ａとランプ保持金具７ｂとの間隔が広がり、弾性的にランプ口金１１ａを接触金具７ａの屈曲凸部とランプ保持金具７ｂの屈曲凸部が挟持するので、口金端子１１ｃは確実に接触金具７ａに接触する。即ち、たとえ、蛍光ランプが曲がって挿入されても一対の口金端子１１ｃは両方共確実に接触金具７ａに接触する。
【００１２】
また、一端部に接触金具７ａとランプ保持部材であるランプ保持金具７ｂとの対向部を形成し、他端部に鎖錠片７ｅを有する速結端子部７ｄを形成し、両端部を接続部で接続する一体に形成した導電金具７を形成し、一端部の接触金具７ａとランプ保持金具７ｂとを受け体３の挿入穴３ａに設置し、接続部を筐体内に収納し、他端部を筐体の下部に収納したので、ランプ１１の口金端子１１ｃと外部電線との電気的接続を、一体に形成した導電金具７で行うことができ、複数の部品の接続による場合の接触抵抗の増加、接続の信頼性の低下等の問題が解消できる。また、一体化した導電金具７は、切り抜き、曲げ加工で製作できるので製作が容易である。さらに、一体化した導電金具７をソケット筐体に組み込むことは容易であり、ランプソケットの組立てが容易となる。
【００１３】
本ランプソケットは、図１に示すように、ソケットカバー５の下部に照明器具に取付ける取付け部８を形成している。ランプソケット組立て後、この取付け部８のスリット溝により照明器具に取付ける。本ランプソケット使用の照明器具は、ランプ口金端子１１ｃの電気的接続信頼性の高い照明器具となる。
図４（ｂ）に本ランプソケットに蛍光ランプ１１を装着した状態を示すが、この図は、ランプ口金１１ａをランプ保持金具７ｂで保持する状態を説明するものであり省略しているが、コイルバネ１２は、ランプ装着によりランプ１１からの押圧により縮む。この状態を図５に示す。図５（ａ）のランプ装着前の伸びた状態からランプ装着により、図５（ｂ）に示すように縮む。同時にＬ字接続部は、上部の前方への傾斜から垂直状体となる。
【００１４】
導電金具７は、導電金属板を加工した一体ものとしてきたが、一体ものに限らず別体の部品を接続して形成しても良く、接触金具７ａを導電部材で接続して外部電線との電気的接続がとれれば良い。また、ランプ保持部材であるランプ保持金具７ｂは、別体の非金属でも良く、材質的に弾性体又は形状として弾性体としたもので、ランプ装着において、弾性変形して７ａランプ口金１１ａを挿入させ、ランプ口金１１ａを保持するものであれば良い。また、接触金具７ａ、ランプ保持金具７ｂは、くの字形状に限定せず、接触金具７ａはランプ口金端子１１ｃと電気的に接続するものであり、また、ランプ保持金具７ｂはランプ口金１１ａを保持するものであれば良い。
さらに、ランプ保持部材であるランプ保持金具７ｂは、挿入穴３ａの内壁に対向して、少なくとも一対は必要であり、二対以上設けることによりランプ口金１１ａの保持は、より確実となる。
【００１５】
本ランプソケットは、接触金具７ａとランプ保持金具７ｂとを導電材料で対向するように一体形成し、この一体形成部を外部電線と接続する導電部材と接続しても、口金端子１１ｃを接触金具７ａに接触させ、ランプ口金１１ａをランプ保持金具７ｂで保持させるので、ランプ１１が傾いて挿入されても、一対の口金端子１１ｃは確実にそれぞれの接触金具７ａに接触し、電気的接続信頼性を向上できる。
【００１６】
実施の形態２．
実施の形態２のランプソケットは、実施の形態１のランプソケットにおいて、導電金具７を一部変形させ、ランプ保持金具７ｂとして特別の部材を設置しないようにしたものである。その他の構成は実施の形態１のランプソケットと同様であるので、以下主として、相違点を説明する。
【００１７】
図６に本実施の形態の一対の導電金具７を示す。この導電金具７は一体形成されるが、ランプ保持金具７ｂを有していない。その他は、実施の形態１の導電金具７と同様である。また、受け体３の挿入穴３ａ内の仕切部３ｄの左右の側壁の接触金具収納部３ｃに接触金具７ａを収納する。その他受け体３及びランプ筐体への取付けは、実施の形態１と同様である。
本ランプソケットにおいては、一対の接触金具７ａの最外側部間の距離、即ち、図６の一対の接触金具７ａの屈曲凸部間の距離を円筒状のランプ口金１１ａの内壁の一対の口金端子１１ｃ間の間隔より大きくする。このようにすることで、ランプ口金１１ａを受け体３の挿入穴３ａに挿入することにより、一対の接触金具７ａが弾性変形しランプ口金１１ａを保持し、また、一対の接触金具７ａが、それぞれ、円筒状のランプ口金１１ａの内壁の一対の口金端子１１ｃと接触する。
このようにしても、実施の形態１のランプソケットと同様にランプ１１が傾いて挿入されても、一対の口金端子１１ｃは確実にそれぞれの接触金具７ａに接触し、電気的接続信頼性を向上できる。
また、複数の部品の接続による場合の接触抵抗の増加、接続の信頼性の低下等の問題が解消でき、一体化した導電金具７をソケット筐体に組み込むことは容易であり、ランプソケットの組立てが容易となるのも同様である。さらに、一体化した導電金具７は、切り抜き、曲げ加工で製作でき、ランプ保持金具を有さないので、一層製作が容易である。また、接触金具７ａ、くの字形状に限定しない等も実施の形態１と同様である。
【図面の簡単な説明】
【００１８】
【図１】本発明の実施の形態１におけるランプソケットを示す分解斜視図である。
【図２】図１のランプソケットの正面図である。
【図３】図１のランプソケットの導伝金具を示す斜視図である。
【図４】図１のランプソケットにランプ装着時のランプ口金端子と接触金具部との接続及びランプ保持部材によるランプ口金の保持を説明する断面図である。
【図５】図１のランプソケットのランプ装着前後の導電金具及びコイルバネの状態を説明する断面図である。
【図６】本発明の実施の形態２におけるランプソケットの導電金具を示す斜視図である。
【符号の説明】
【００１９】
１ａ  開口部、３  受け体、３ａ  挿入穴、７  導電金具、７ａ  接触金具、７ｂ  ランプ保持部材、７ｄ  速結端子部、７ｅ  鎖錠片、８  取付け部、１１ａ  ランプ口金、１１ｃ  ランプ口金の口金端子。
【図１】
2005293872.tif 000003
【図２】
2005293872.tif 000004
【図３】
2005293872.tif 000005
【図４】
2005293872.tif 000006
【図５】
2005293872.tif 000007
【図６】
2005293872.tif 000008